(57)【要約】      （修正有）【課題】構内ネットワーク環境で情報処理システムが無線セルラネットワークに効率的にアクセスできるようにする。【解決手段】情報処理システムルータは、無線ローカルエリアネットワークコンポーネントと無線セルラー広域ネットワークコンポーネントとを統合して、無線セルラー広域ネットワークと、無線ローカルエリアネットワークとインターフェースされた複数の情報処理システムとの間において情報の経路を設定して導く。無線セルラー広域ネットワークコンポーネントは、ルータから切離されたときに、音声電話通信のための無線セルラーあるいは情報処理システム通信のための無線カードのような切離し可能な無線セルラートランシーバを含むことができる。無線セルラー広域ネットワークコンポーネントは、無線セルラーのＳＩＭモジュールのような切離し可能な許可モジュールによって無線セルラー広域ネットワークと通信できるトランシーバを統合できる。【選択図】図１
2006180474.tif 000002
【特許請求の範囲】
【請求項１】
各情報処理システムが情報を処理するための処理コンポーネントおよび無線ローカルエリアネットワークによって情報を通信するように動作する無線ローカルエリアネットワークコンポーネントを有している複数の情報処理システムと、
無線ローカルエリアネットワークコンポーネントおよび無線セルラー広域ネットワークコンポーネントを有するルータとを備えており、
前記無線ローカルエリアネットワークコンポーネントは複数の情報処理システムと無線ローカルエリアネットワークによって情報を通信するように動作可能であり、前記無線セルラー広域ネットワークコンポーネントは無線セルラー広域ネットワークによって情報を通信するように動作可能であり、前記ルータは１以上の情報処理システムと無線セルラー広域ネットワークとの間で情報を経路設定して伝送するように構成されている情報処理システムネットワーク。
【請求項２】
さらに、無線ローカルエリアネットワークおよびルータによって複数の情報処理システムと通信するように動作する無線ローカルエリアネットワークコンポーネントを有する１以上の情報処理システム周辺機器を備えている請求項１記載の情報処理システムネットワーク。
【請求項３】
ルータ無線セルラー広域ネットワークコンポーネントには切離し可能な無線セルラーが含まれ、この切離し可能な無線セルラーは、ルータに結合されたときに無線セルラー広域ネットワークを可能にし、ルータから切離されたときに無線セルラー音声通信を可能にするように構成されている請求項１記載の情報処理システムネットワーク。
【請求項４】
ルータ無線セルラー広域ネットワークコンポーネントには切離し可能な情報処理システム無線セルラー広域ネットワークカードが含まれており、この切離し可能な情報処理システム無線セルラー広域ネットワークカードは、ルータに結合されたときに無線セルラー広域ネットワークを可能にし、情報処理システムに結合されたときにその情報処理システムが無線セルラー広域ネットワーク通信を行うことを可能にするように構成されている請求項１記載の情報処理システムネットワーク。
【請求項５】
ルータ無線セルラー広域ネットワークコンポーネントには許可情報を有する切離し可能なセキュリティモジュールが含まれており、この切離し可能なセキュリティモジュールは、それがルータに結合されたときに無線セルラー広域ネットワークコンポーネントが無線セルラー広域ネットワークと通信することを可能にし、無線セルラーに結合されたときには無線セルラーが無線セルラー広域ネットワークと通信することを可能にするように構成されている請求項１記載の情報処理システムネットワーク。
【請求項６】
セキュリティモジュールにはＳＩＭが含まれている請求項５記載の情報処理システムネットワーク。
【請求項７】
さらに、無線ローカルエリアネットワークによって音声情報をルータと通信するように動作する無線ローカルエリアネットワークコンポーネントを有するＶｏＩＰ電話を備えており、ルータは、無線ローカルエリアネットワークおよび無線セルラー広域ネットワークコンポーネントとインターフェースされたＶｏＩＰモジュールを有しており、このＶｏＩＰモジュールは、無線ローカルエリアネットワークと無線セルラー広域ネットワークとの間における音声情報の通信をサポートするように動作する請求項１記載の情報処理システムネットワーク。
【請求項８】
さらに、無線ローカルエリアネットワークコンポーネントおよび無線セルラー広域ネットワークコンポーネントとインターフェースされたサービス品質モジュールを備えており、このサービス品質モジュールは、情報をその情報に関連したサービス品質タグにしたがって広域ネットワークとローカルエリアネットワークとの間で経路設定して伝送するように動作する請求項７記載の情報処理システムネットワーク。
【請求項９】
無線ローカルエリアネットワークによって情報処理システムとルータとの間において情報を通信し、
無線セルラー広域ネットワークによってルータと情報を通信し、
無線ローカルエリアネットワークと無線セルラー広域ネットワークとの間においてルータによって情報の少なくとも一部を通信するステップを含んでいる情報処理システムのネットワーク方法。
【請求項１０】
さらに、ルータとの無線セルラーコンポーネントの接続を遮断して、無線セルラー広域ネットワークによる情報の通信を不可能にし、
無線セルラーコンポーネントをルータに接続して、無線セルラー広域ネットワークによる情報の通信を可能にするステップを含んでいる請求項９記載の方法。
【請求項１１】
無線セルラーコンポーネントは無線セルラーであり、さらに、ルータとの接続を遮断されたときに無線セルラーによって音声情報を通信するステップを含んでいる請求項１０記載の方法。
【請求項１２】
無線セルラーコンポーネントはＧＳＭ適合無線セルラーＳＩＭであり、
さらに、ＳＩＭがルータと接続しているときにＳＩＭからルータにユーザ許可情報を通信し、
この許可情報を使用して、ルータと統合された無線セルラートランシーバによる無線セルラーネットワークへのアクセスを可能にするステップを含んでいる請求項１０記載の方法。
【請求項１３】
さらに、各ＳＩＭが１以上の予め定められたユーザに関連した許可情報を有している複数のＳＩＭをルータに接続し、
ルータによる情報の通信を許可情報にしたがって管理するステップを含んでいる請求項１２記載の方法。
【請求項１４】
無線セルラーコンポーネントは、情報処理システムを無線セルラー広域ネットワークとインターフェースさせるように動作する情報処理システム無線セルラー広域ネットワークカードである請求項１０記載の方法。
【請求項１５】
さらに、無線ローカルエリアネットワークと無線セルラー広域ネットワークとの間においてルータによって情報の少なくとも一部を通信するステップは、ＶｏＩＰ情報を通信するステップを含んでいる請求項９記載の方法。
【請求項１６】
さらに、無線セルラー広域ネットワークから通信された情報のルータによる受信を管理するためにルータを構内に配置するステップを含んでいる請求項９記載の方法。
【請求項１７】
ハウジングと、
ハウジング中に配置され、無線ローカルエリアネットワークによって複数の情報処理システム間において情報を経路設定して伝送するように動作する無線ローカルエリアネットワークエンジンと、
ハウジング中に配置され、無線セルラー広域ネットワークと無線ローカルエリアネットワークエンジンとの間で情報を通信するように動作する無線セルラー広域ネットワークエンジンと、
無線ローカルエリアネットワークエンジンおよび無線セルラー広域ネットワークとインターフェースされ、情報処理システムと無線セルラー広域ネットワークとの間において情報を経路設定して伝送するように動作する制御モジュールとを備えている情報処理システムルータ。
【請求項１８】
無線セルラー広域ネットワークは切離し可能な無線セルラートランシーバを備えており、この無線セルラートランシーバは、無線セルラー広域ネットワークエンジンとインターフェースして情報を経路設定して伝送し、無線セルラー広域ネットワークエンジンから切離されて音声通信を行う請求項１７記載の情報処理システムルータ。
【請求項１９】
無線セルラー広域ネットワークは切離し可能な無線セルラートランシーバを備えており、この無線セルラートランシーバは、無線セルラー広域ネットワークエンジンとインターフェースして情報を経路設定して伝送し、無線セルラー広域ネットワークエンジンから切離されて単一の情報処理システムと情報通信を行うように構成されている請求項１７記載の情報処理システム。
【請求項２０】
無線セルラー広域ネットワークは統合された無線セルラートランシーバおよび切離し可能な無線セルラーモジュールを備えており、無線セルラートランシーバは、切離し可能な無線セルラーモジュールが無線セルラー広域ネットワークエンジンとインターフェースする場合には情報を経路設定して伝送し、切離し可能なモジュールが無線セルラー広域ネットワークエンジンから切離された場合には無線セルラーの音声通信を可能にするように動作する請求項１７記載の情報処理システム。
【発明の詳細な説明】
【技術分野】
【０００１】
本発明は、一般に、情報処理システムネットワークの分野に関し、とくに、セルラーで使用可能な情報処理システムルータのためのシステムおよび方法に関する。
【背景技術】
【０００２】
情報の価値および使用は増加し続けており、個人および企業は情報を処理し、記憶する付加的な手段を探し求めている。ユーザが利用可能な１つのオプションは情報処理システムである。情報処理システムは一般に、企業、個人またはその他の目的のために情報またはデータの処理、コンパイル、記憶および、または通信を行ない、それによってユーザがその情報の価値を利用することを可能にする。テクノロジーおよび情報処理の必要性ならびに要求はユーザまたは用途によって異なるため、情報処理システムもまた、処理される情報の種類、情報の処理方法、処理、記憶または通信される情報の量、および情報の処理、記憶または通信が信頼性のある秘密保護された方法でどれだけ迅速かつ効率的に行われることができるかに関して異なったものとなる。情報処理システムはそのバリエーションのために多様に使用されることができ、あるいは特定のユーザに対して、または金融取引処理、航空券の予約、企業データの記憶、グローバルな通信またはピア・ツー・ピア装置共有のような特定の使用に対して構成されることができる。さらに、情報処理システムは、情報を処理し、記憶し、通信するように構成されることのできる種々のハードウェアおよびソフトウェアコンポーネントを含むことが可能であると共に、１以上のコンピュータシステム、データ記憶システム、ネットワークシステム、ならびにクライアントおよび企業システムを含むことができる。
【０００３】
情報処理システムはしばしば、情報の通信、印刷あるいは、そうでなければ、処理を行うために多数の周辺機器と対話する。情報処理システムはしばしば１以上のルータを介して通信することにより無線ローカルエリアネットワーク（ＷＬＡＮ）のようなネットワークを介して互いに、および周辺機器と対話する。たとえば、典型的な家庭ネットワークは、８０２．１１（ａ）、８０２．１１（ｂ）または８０２．１１（ｇ）規格を使用して無線ルータによって情報処理システムと周辺機器との間で情報を通信する。ルータは一般に、インターネットアクセス用のインターネットサービスプロバイダ（ＩＳＰ）ネットワークのような広域ネットワーク（ＷＡＮ）へのアクセスを提供するＤＳＬまたはケーブルモデムのような広帯域モデム装置と関連している。ＷＬＡＮは情報処理システムと周辺装置との間のケーブルの配線を減少させ、あるいは除去すると共に、ネットワークによる通信中の情報処理システムおよび装置の自在な移動を可能にするため、それらは家庭ネットワークに対して普通の選択肢になっている。たとえば、ポータブル情報処理システムはしばしば、内部トランシーバまたはアドオンＰＣＭＣＩＡトランシーバカードを使用して無線ネットワークによって通信する。これらのトランシーバはまた、ポータブル情報処理システムが一般に使用されている場所、たとえば、空港および喫茶店等、において生じた無線公衆“ホットスポット”のような多数の標準化されたネットワークタイプによる通信をサポートする。典型的に、これらのホットスポットや家庭では、ＤＳＬまたはケーブル接続のような陸線ネットワークアクセスが配置されているエントリ地点にルータと無線アクセスポイント装置を組合せた装置が配置され、無線装置とその陸線ネットワークアクセスとの間において情報の経路設定を行ってこの情報を伝送する。
【０００４】
ＷＬＡＮは典型的な家庭または企業環境において規定された動作範囲を有し、ほとんどのものがケーブルまたはＤＳＬネットワークのような固定された広帯域サービスに接続している。その代りに、無線広域ネットワーク（ＷＷＡＮ）通信をサポートするために、時として一般にセルラーサービスとも呼ばれる無線電話サービスが使用される。無線セルラー技術のネットワークにより情報処理システムは広範囲にわたるネットワークアクセスが可能になり、また、パケットベースの通信を含む最近の改善により無線セルラーネットワークにおいて効率的な広帯域データ速度が達成されている。たとえば、１ｘＥＶ-ＤＯにより１．５Ｍｂｐｓの無線セルラーデータ速度が提供され、一方第３世代テクノロジーは、６乃至８Ｍｂｐｓまでデータ速度をスケールするＨＳＤＰＡにより３Ｍｂｐｓのデータ速度を実現する。無線セルラーベースのネットワークは情報処理システムのユーザに広いカバレージを提供するが、無線セルラーネットワークへのアクセスに対するサービス料金は高額になることが多く、また、無線セルラーベースのネットワークのカバレージは建造物中においてしばしば制限され、あるいは信頼できないものとなる。したがって、無線セルラーベースのネットワークのフレフキシビリティおよびカバレージを望む情報処理システムのユーザは、典型的に、家庭および職場においてケーブルまたはＤＳＬのような陸線ベースのネットワークもまた有している。しかしながら、多数の加入のためにユーザの出費が増加し、しばしば使用の追跡および料金請求が複雑になる。
【発明の開示】
【発明が解決しようとする課題】
【０００５】
したがって、家庭または職場の構内ネットワーク環境において情報処理システムが無線セルラー広域ネットワークアクセスを効率的かつ実効的に行えるようにするシステムおよび方法が必要とされている。
【課題を解決するための手段】
【０００６】
本発明によると、無線広域ネットワークアクセスを使用する情報処理システムの従来の方法およびシステムに関連した欠点、複雑さおよび問題を実質的に減少させるシステムおよび方法が提供される。無線ルータは、無線ローカルエリアネットワークコンポーネントと無線セルラー広域ネットワークコンポーネントを統合して、広域ネットワークとこの広域ネットワークとインターフェースされた情報処理システムとの間において情報の経路設定を行ってこの情報を導く。
【０００７】
とくに、無線ルータは、トランシーバ、プロセッサおよびメモリのような無線ローカルエリアネットワークコンポーネントを備えた８０２．１１（ａ）、８０２．１１（ｂ）または８０２．１１（ｇ）無線ネットワークのような無線ローカルエリアネットワークを介して情報を経路設定して伝送することによって複数の情報処理システムと周辺機器との間の通信をサポートする。無線ルータはまた、統合されたまたは選択的に接続された無線セルラートランシーバのような無線セルラーコンポーネントを備えた無線セルラー広域ネットワークに、無線ローカルエリアネットワークを介してそのルータに通信された情報を経路設定して伝送することにより情報処理システムと１つの無線セルラー広域ネットワークとの間の通信をサポートする。統合された無線トランシーバは、無線セルラー、無線ＰＤＡまたは無線セルラー情報処理システムカードのような無線ルータに無線装置を接続し、許可情報を無線セルラー装置から無線ルータに転送することにより無線セルラーネットワークへのアクセスを許可される。その代りに、ＧＳＭ  ＳＩＭ  のような許可モジュールはＰＤＡまたはスマートホンのような無線ハンドセットまたはプラットホームから切離されて無線ルータに接続され、統合されたトランシーバによるアクセスを許可する。さらにそれに代わるものとして、無線ルータが外部無線セルラー装置の無線トランシーバと接続して無線セルラーネットワークと通信する。このようにして、ユーザは、情報処理システムからのデータおよび音声情報を含む種々のタイプの情報を無線セルラーネットワークによって通信できるようにされ、また、個別に使用される無線セルラー装置または許可モジュールを位置独立性のために無線ルータから切離すこともできる。このアーキテクチャは、顧客構内位置および移動位置への高速セルラーネットワークによるマルチメディアストリーミングのような将来的な用途を可能にする基本的なプラットホームを提供する。
【０００８】
本発明は、多数の重要な技術的利点を提供する。重要な技術的利点の一例は、情報処理システムユーザが無線広域およびローカルエリアネットワークアクセスへの統一されたアプローチを与えられることである。たとえば、移動位置および固定位置の両方において音声およびデータに対して単一の無線セルラー料金請求／プロファイルアカウントを使用することにより、ユーザの全体的な通信コストが減少し、通信サービスをまとめたときのようにネットワーク使用、追跡および料金請求が簡単になる。無線セルラー電子キーを固定された無線ルータと選択的にインターフェースさせて無線ローカルエリアネットワークを“ライトアップ”することにより、無線セルラー装置およびアカウントに直接結合された秘密保護された安全な物理許可が与えられ、それによって無線セルラーネットワーク中にすでに組込まれているユーザ認証、ユーザプロファイル、許可およびセキュリティ措置が影響を与えられる。無線ローカルエリアネットワークルータによる無線広域ネットワークアクセスにより、家庭や企業内あるいは路上での無線ルータの位置および使用におけるフレキシビリティが得られ、可能な最良のユーザ経験を得るのを助ける。
【発明を実施するための最良の形態】
【０００９】
添付図面を参照することにより、本発明がさらによく理解され、その多数の目的、特徴および利点が当業者に明らかにされることができる。各図面において、同じ参照符号が同じまたは類似した構成要素を示すために使用されている。  
情報処理システムは、無線ローカルエリアおよび広域の両ネットワークコンポーネントを統合する単一のルータによって情報を経路設定して伝送することにより無線ローカルエリアネットワークを通じて無線セルラー広域ネットワークとインターフェースする。これを開示するために、１つの情報処理システムは、取引、科学、制御またはその他の目的のために任意の形態の情報、インテリジェンスまたはデータの計算、分類、処理、送信、受信、検索、発生、切替え、記憶、表示、宣言、検出、記録、再生、統御または使用を行うように動作可能な任意の手段または手段の集りを含んでいることができる。たとえば、情報処理システムは、パーソナルコンピュータ、ネットワーク記憶装置または任意の他の適切な装置であることが可能であり、また、そのサイズ、形状、性能、機能、用途および価格はさまざまであってよい。情報処理システムはランダムアクセスメモリ（ＲＡＭ）、中央処理装置（ＣＰＵ）あるいはハードウェアまたはソフトウェア制御論理手段のような１以上の処理リソース、ＲＯＭおよび、またはその他のタイプの不揮発性メモリを備えていてもよい。情報処理システムの付加的なコンポーネントには、キーボード、マウスおよびビデオディスプレイのような種々の入出力（Ｉ／Ｏ）装置だけでなく、１以上のディスクドライブおよび外部装置と通信するための１以上のネットワークポートもまた含まれることができる。情報処理システムはまた、種々のハードウェアコンポーネント間において通信を伝送するように動作する１以上のバスを備えていることができる。
【００１０】
図１を参照すると、共通のルータによってインターフェースされた無線ローカルエリアおよび広域ネットワークのシステムが示されている。家庭または職場のような構内には、デスクトップ情報処理システム10、ＰＤＡ情報処理システム12およびポータブル情報処理システム14を含む複数の情報処理システムが分散して配置されている。情報処理システムは、８０２．１１（ａ）、８０２．１１（ｂ）または８０２．１１（ｇ）規格と適合するルータのような無線ルータ22によってサポートされた無線ローカルエリアネットワーク20を介して互いに、ならびにプリンタ16および表示装置18を含む複数の周辺機器と対話する。さらに、この無線ローカルエリアネットワーク20によって、無線ＶｏＩＰハンドセットのような１以上のＶｏＩＰ電話24が音声情報を通信する。
【００１１】
無線ルータ22は、トランシーバ、プロセッサおよびメモリのような通常の無線ローカルエリアネットワークコンポーネントを備えた無線ローカルエリアネットワーク20を横切って情報を経路設定して伝送することをサポートする。この無線ルータ22はまた、無線セルラーインターフェースシステム28によって使用される無線ネットワークによるように、無線ローカルエリアネットワーク20から無線広域ネットワーク26に情報を経路設定して伝送することをサポートする。無線広域ネットワーク26のいくつかの例には、ＧＳＭネットワーク、ＣＤＭＡネットワーク、１ｘＥＶ-ＤＯネットワーク、ＵＭＴＳ、ＷＣＤＭＡ、ＨＳＤＰＡネットワークおよび１ｘＲＴＴネットワークが含まれる。無線セルタワーのような無線セルラー通信アンテナ無線セルタワー28は、無線信号を受信して、電話通信をＰＳＴＮ30に転送すると共に、データ通信をインターネットサービスプロバイダサイト32およびインターネット34に転送する。無線ルータ22は、無線通信ではケーブルやＤＳＬネットワークのような配線接続に近い位置に制限されないため、無線セルラー広域ネットワーク26および無線ローカルエリアネットワーク20に対する信号強度を最適化するために構内中を移動されることができる。
【００１２】
動作において、無線ルータ22は、情報処理システム10、12および14と広域ネットワーク26との間においてローカルエリアネットワーク20によって情報を通信するよう動作する。１実施形態において、無線ルータ22は無線セルラー広域ネットワーク装置と接続することにより動作し、この無線セルラー広域ネットワーク装置はトランシーバを提供すると共に、電話広域ネットワーク26にアクセスする許可を与える。たとえば、無線セルラー電話28または無線セルラーカードは無線ルータ22に接続してトランシーバおよびネットワークアクセス許可として動作する。その代りに、無線ルータ22は、無線セルラーネットワークにアクセスする許可、あるいはＳＩＭカードのような許可モジュールの接続によって選択的に可能にされる許可を有する１つの統合された無線セルラートランシーバを有している。無線セルラー広域ネットワーク使用の統一された追跡が、使用追跡エンジン36によるネットワークアクセスに関連した許可を追跡し、その追跡情報を追跡データベース42中に記憶することにより管理される。インターネットプロトコルによる音声（ＶｏＩＰ）およびデータ通信のような情報処理システムの機能は、インターネットサービスプロバイダサイト32内の、ＶｏＩＰインターフェース38およびデータインターフェース40のような適切なインターフェースによって管理される。情報処理システム10、12および14は、無線ローカルエリアネットワーク20および無線セルラー広域ネットワーク26によってインターネットサービスプロバイダインターフェースと通信する。たとえば、情報処理システムまたはＶｏＩＰ電話24からのＶｏＩＰ通信は、無線ルータ22によってＶｏＩＰインターフェース38との間にＶｏＩＰパケットを経路設定して伝送することにより設定される。したがって、無線セルラー26または類似した無線広域ネットワーク装置がネットワークアクセスに対する許可を与えたとき、無線ルータ22は既存の無線セルラー装置からの許可を使用して、異種のキャリアネットワークサービスを横切ってスケールし、使用モデルおよび料金請求を単一のアカウントにまとめる。
【００１３】
次に図２を参照すると、無線ローカルエリアおよび広域ネットワーク通信を統合する情報処理システム無線ルータ22が機能ブロック図で示されている。ローカルエリアネットワークエンジン44は、無線ローカルエリアネットワークアンテナ46およびイーサネット（登録商標）ネットワークインターフェースカード48のポートによって情報処理システムと通信する。無線セルラー広域ネットワークエンジン50は、無線セルラーネットワークアンテナ52によって無線セルラー広域ネットワークと通信する。無線ローカルエリアおよび広域ネットワークの間における情報の経路設定は、ローカルエリアネットワークエンジン44および無線セルラー広域ネットワークエンジン50とインターフェースされた管理および制御モジュール54によって管理される。種々のハードウェア、ファームウェアおよびソフトウェア構成が、各エンジンに対して単一のプロセッサまたは別々のプロセッサを含む図２に示されている機能を行うことができる。特定の所望のサービスは、ＶｏＩＰパケットの経路設定を管理するＶｏＩＰモジュール56や、サービス品質タグによってパケットを管理するＱｏＳモジュール58のような関連したモジュールにより管理される。使用追跡モジュール60は無線セルラーモデルを横切る使用追跡を調整し、この使用追跡には無線セルラー使用の追跡、無線セルラー広域ネットワークへの無線ルータアクセス、および単一の情報処理システムカードのような別の無線セルラー装置アクセスが含まれる。セキュリティモジュール62は、無線セルラー広域ネットワークおよび無線ローカルエリアネットワークの本来備わっているセキュリティに影響を与えて、秘密保護された安全な通信および許可された使用を確実なものにする。
【００１４】
無線ルータ22の１つの都合のよい特徴は、便利な料金請求および使用追跡のために、無線広域ネットワークによりサポートされた種々の通信サービスをまとめることができることであり、当該通信サービスには構内インターネットアクセス、ＶｏＩＩＰ通信による構内ＰＳＴＮアクセス、移動無線セルラー音声アクセスおよび移動無線セルラー情報処理システムアクセスが含まれる。アクセス許可および使用追跡は、１実施形態においては、許可された無線セルラートランシーバを無線セルラー広域ネットワークエンジン50と選択的にインターフェースすることにより管理される。たとえば、無線セルラーインターフェース64は無線セルラーと接続して、無線ルータ22による無線セルラーのトランシーバを介した無線セルラー広域ネットワークとの通信をサポートする。別のタイプの無線セルラー装置は無線ルータ22とインターフェースして、無線セルラー装置のトランシーバを使用することによる無線セルラーネットワークとの通信をサポートすることができ、当該トランシーバには、ＰＤＡインターフェース66に接続するＰＤＡ装置や、情報処理システム無線セルラーネットワークカードインターフェース70に接続する情報処理システム無線セルラーカード68が含まれる。無線セルラーカード68は、ＰＣカード、エクスプレスカード、ミニカード、ＳＤ、ＣＦ、またはルータに対する無線セルラー機能を可能にする別の形状ファクタのような種々の形状ファクタと接続することができる。
【００１５】
別の実施形態において、無線セルラー広域ネットワークエンジン50は、外部許可モジュールの接続によって無線セルラーネットワークを介して通信することを許可される無線ルータ22内の無線セルラートランシーバを統合している。たとえば、ＳＩＭ72はＳＩＭインターフェースと接続して、無線セルラーネットワークにアクセスすることを許可するユーザ証明書を提供する。別の例としては、統合されたトランシーバが無線セルラーネットワークと通信することを許可するために、接続された無線セルラー装置からＳＩＭプロファイルが通信される。したがって、随意に、１つの構内の無線ローカルエリアネットワークの種々の異なるユーザは、ユーザのアイデンティティにしたがってさまざまな程度のサービスまたはアクセスを提供するようにそのユーザに関連付けられたＳＩＭプロファイルの挿入により無線セルラー広域ネットワークアクセスを選択的に許可することができる。無線広域ネットワークを使用しないとき、ユーザはそのＳＩＭ、または許可を与える無線セルラー装置を取外し、無線セルラー装置を移動用として利用できるようにする。
【００１６】
以上、本発明を詳細に説明してきたが、添付された特許請求の範囲により規定される本発明の技術的範囲を逸脱することなく種々の変更、置換および修正を行うことが可能であることを認識すべきである。
【図面の簡単な説明】
【００１７】
【図１】共通のルータによってインターフェースされた無線ローカルエリアおよび広域ネットワークのシステムを示す概略図。
【図２】無線ローカルエリアおよび無線広域ネットワーク通信を統合する情報処理システムルータの機能ブロック図。
【図１】
2006180474.tif 000003
【図２】
2006180474.tif 000004
【外国語明細書】
2006180474000001.pdf